(57)【要約】【課題】簡便かつ迅速に検体の検査を行なうことができ、さらに収容されている液体試薬の精密な送液制御が可能である、マイクロ流路チップを得る。【解決手段】試薬収納空間Ａに連結されているマイクロ流路と、マイクロ流路に連結されており、液体試薬９と検体との混合または液体試薬９と検体との反応が行なわれる混合・反応空間Ｃと、マイクロ流路において、試薬収納空間Ａと、混合・反応空間Ｃとの間に設けられている滞留空間Ｂとを有するマイクロ流路チップ本体２と、試薬収納空間Ａに収納されており、液体試薬９と、液体試薬９を封止しており、押圧により開封される封止材８とを有する試薬収納体７とを備える、マイクロ流路チップ１。【選択図】図１
2018059916.tif 000002
【特許請求の範囲】
【請求項１】
試薬収納空間と、試薬収納空間に連結されているマイクロ流路と、前記マイクロ流路に連結されており、液体試薬と検体との混合または前記液体試薬と検体との反応が行なわれる混合・反応空間と、前記マイクロ流路において、前記試薬収納空間と、前記混合・反応空間との間に設けられている滞留空間とを有するマイクロ流路チップ本体と、
前記試薬収納空間に収納されており、液体試薬と、液体試薬を封止しており、押圧により開封される封止材とを有する試薬収納体とを備える、マイクロ流路チップ。
【請求項２】
前記マイクロ流路が、前記試薬収納空間と、前記滞留空間とを接続している送液流路と、前記滞留空間に液体または気体を流入させる入り口流路と、前記滞留空間から前記混合・反応空間に至っている出口流路とを有する、請求項１に記載のマイクロ流路チップ。
【請求項３】
前記滞留空間の容積が、前記試薬収納体に充填されている液体試薬の体積と同等または該体積よりも大きい、請求項１または２に記載のマイクロ流路チップ。
【請求項４】
前記試薬収納空間は、前記送液流路が前記滞留空間に開口している開口部以外に、周囲に開口部を有しない、請求項１〜３のいずれか一項に記載のマイクロ流路チップ。
【請求項５】
前記滞留空間の上方に前記試薬収納空間が設けられており、前記試薬収納体が、前記送液流路の前記滞留空間への開口部上に配置されている、請求項１〜４のいずれか一項に記載のマイクロ流路チップ。
【請求項６】
前記試薬収納空間が、前記送液流路が開口している開口部を有する底面を有し、前記試薬収納体は、前記底面において、前記開口部を除いた領域において、前記底面に接着されている、請求項５に記載のマイクロ流路チップ。
【請求項７】
対向し合う第１及び第２の主面を有し、第１の主面に開口している凹部を有する基板と、前記基板の前記凹部を封止するように設けられており、弾力性を有する封止フィルムとを備え、前記凹部と、前記封止フィルムとにより、前記試薬収納空間が設けられている、請求項１〜６のいずれか一項に記載のマイクロ流路チップ。
【請求項８】
前記封止フィルムの内面に、前記試薬収納体に向かって突出されている凸部が設けられている、請求項７に記載のマイクロ流路チップ。
【発明の詳細な説明】
【技術分野】
【０００１】
本発明は、検体内の物質または液体状の検体内の物質の反応生成物を検査、分析するためのマイクロ流路チップに関する。
【背景技術】
【０００２】
近年、１枚のマイクロ流路チップに微細流路を設け、各種検体もしくは試料の送液や反応を制御することにより血液検査や遺伝子検査などを行う方法が検討されている。例えば下記の特許文献１には、弾性変形による自己封止性を備える基板層と、該基板層を含んで形成される領域と、該領域において該基板層と対向する面に突設された穿刺構造体とを備えるマイクロ流路チップが提案されている。
【０００３】
しかしながら、上記のマイクロ流路チップでは、液体試薬を保持するためのサンプル容器が、マイクロチップと一体化されていない。そのため、例えば上記マイクロ流路チップを用いて血液検査等を行う場合は、検査時に必要試薬をマイクロ流路チップ外からマイクロ流路チップ内に導入する必要がある。このような場合には、検査時の周囲環境によってはマイクロ流路チップ内に異物が混入して検査精度が低下するおそれがあった。
【０００４】
これに対し、下記の特許文献２には、液体試薬を内包したブリスターパックが内蔵されたマイクロ流路チップが開示されている。使用時には、ブリスターパックを押圧し、破る。それによって、液体試薬が検体および他試薬との混合空間に流入される。
【先行技術文献】
【特許文献】
【０００５】
【特許文献１】特開２０１３−１４５２１７公報
【特許文献２】特許第５４６６７４５号公報
【発明の概要】
【発明が解決しようとする課題】
【０００６】
特許文献２に記載のマイクロ流路チップでは、ブリスターパックを押圧することによって液体試薬が混合空間に直接流入する。そのため、流入速度や混合タイミングの精密制御が困難であった。また、複数の試薬を用いる複雑な検査・反応系においては、その検査精度や反応精度が低下するおそれがあった。
【０００７】
本発明の目的は、簡便かつ迅速に検体の検査を行うことができ、さらに収容されている液体試薬の精密な送液制御が可能である、マイクロ流路チップを提供することである。
【課題を解決するための手段】
【０００８】
上記の課題を解決するため、本発明に係るマイクロ流路チップでは、液体試薬が充填された試薬収納体が配置される試薬収納空間と連結した送液流路において、液体試薬が滞留可能な空間が設けられている。
【０００９】
すなわち、本発明の広い局面によれば、試薬収納空間と、試薬収納空間に連結されているマイクロ流路と、前記マイクロ流路に連結されており、液体試薬と検体との混合または前記液体試薬と検体との反応が行なわれる混合・反応空間と、前記マイクロ流路において、前記試薬収納空間と、前記混合・反応空間との間に設けられている滞留空間とを有するマイクロ流路チップ本体と、前記試薬収納空間に収納されており、液体試薬と、液体試薬を封止しており、押圧により開封される封止材とを有する試薬収納体とを備える、マイクロ流路チップが提供される。
【００１０】
本発明に係るマイクロ流路チップのある特定の局面では、前記マイクロ流路が、前記試薬収納空間と、前記滞留空間とを接続している送液流路と、前記滞留空間に液体または気体を流入させる入り口流路と、前記滞留空間から前記混合・反応空間に至っている出口流路とを有する。
【００１１】
本発明に係るマイクロ流路チップの他の特定の局面では、前記滞留空間の容積が、前記試薬収納体に充填されている液体試薬の体積と同等または該体積よりも大きい。この場合には、液体試薬を滞留空間内により一層確実に滞留させることができる。
【００１２】
本発明に係るマイクロ流路チップの別の特定の局面では、前記試薬収納空間は、前記送液流路が前記滞留空間に開口している開口部以外に、周囲に開口部を有しない。この場合には、試薬収納空間から、液体試薬を開口部を通して送液流路により一層確実に送液することができる。
【００１３】
本発明に係るマイクロ流路チップの別の特定の局面では、前記滞留空間の上方に前記試薬収納空間が設けられており、前記試薬収納体が、前記送液流路の前記滞留空間への開口部上に配置されている。この場合には、試薬収納空間において、試薬収納体を開封することにより、液体試薬を、下方の滞留空間に速やかに導くことができる。
【００１４】
本発明に係るマイクロ流路チップのさらに他の特定の局面では、前記試薬収納空間が、前記送液流路が開口している開口部を有する底面を有し、前記試薬収納体は、前記底面において、前記開口部を除いた領域において、前記底面に接着されている。この場合には、試薬収納体の開封をより確実にかつ安定に行なうことができる。
【００１５】
本発明に係るマイクロ流路チップの別の特定の局面では、対向し合う第１及び第２の主面を有し、第１の主面に開口している凹部を有する基板と、前記基板の前記凹部を封止するように設けられており、弾力性を有する封止フィルムとを備え、前記凹部と、前記封止フィルムとにより、前記試薬収納空間が設けられている。この場合には、封止フィルムを押圧することにより、試薬収納体を容易に開封することができる。
【００１６】
より好ましくは、前記封止フィルムの内面に、前記試薬収納体に向かって突出されている凸部が設けられている。この場合には、封止フィルムを押圧し、凸部により、試薬収納体をより一層容易にかつ確実に開封することができる。
【発明の効果】
【００１７】
本発明によれば、簡便かつ迅速に検体の検査を行なうことができ、さらに収容されている液体試薬の精密な送液制御ができる、マイクロ流路チップを提供することが可能となる。
【図面の簡単な説明】
【００１８】
【図１】本発明の第１の実施形態に係るマイクロ流路チップの要部を示す正面断面図である。
【図２】本発明の第２の実施形態に係るマイクロ流路チップの要部を示す正面断面図である。
【図３】本発明の第３の実施形態に係るマイクロ流路チップの要部を説明するための部分切欠き正面断面図である。
【図４】第４の実施形態に係るマイクロ流路チップの要部を示す正面断面図である。
【図５】試薬収納体の変形例を説明するための平面図である。
【図６】本発明の第４の実施形態に係るマイクロ流路チップの要部を示す正面断面図である。
【発明を実施するための形態】
【００１９】
以下、図面を参照しつつ、本発明の具体的な実施形態を説明することにより、本発明を明らかにする。
【００２０】
図１は、本発明の第１の実施形態に係るマイクロ流路チップの要部を示す正面断面図である。
【００２１】
マイクロ流路チップ１は、マイクロ流路チップ本体２と、試薬収納体７とを備えている。第１の実施形態では、マイクロ流路チップ本体２は、基板３と、封止フィルム４と、カバー部材５とを有する。
【００２２】
基板３は、対向し合う第１及び第２の主面３ａ，３ｂを有する。基板３の第１の主面３ａに開口するように、凹部３ｃが設けられている。この凹部３ｃを閉じるように、封止フィルム４が、第１の主面３ａに貼り合わされている。それによって、試薬収納空間Ａが設けられている。試薬収納空間Ａ内に、試薬収納体７が収納されている。
【００２３】
試薬収納体７は、液体試薬９と、液体試薬９を封止しており、押圧により開封される封止材８とを有する。封止材８は、シート８ｂと、シート８ｂに貼り合わされているフィルム８ａとを有する。このフィルム８ａは、一部において、シート８ｂから遠ざかるように膨らんでいる。この膨らんでいる部分が閉じた空間とされており、この閉じた空間内に、液体試薬９が封止されている。このような試薬収納体７は、一般に、ブリスターパックと称されている。試薬収納体７では、フィルム８ａを押圧することにより、フィルム８ａが破れる。それによって、液体試薬９が放出する。
【００２４】
上記基板３は、合成樹脂成形体からなることが好ましい。もっとも、基板３は、複数枚の合成樹脂シートを積層することにより形成されていてもよい。
【００２５】
基板３内には、マイクロ流路が設けられている。マイクロ流路とは、流体の搬送に際し、いわゆるマイクロ効果が生じるような微細な流路をいう。このようなマイクロ流路では、液体は、表面張力と毛細管現象との影響を強く受け、通常の大寸法の流路を流れる液体とは異なる挙動を示す。
【００２６】
マイクロ流路の横断面形状及び大きさは、上記のマイクロ効果が生じる流路であれば特に限定はされない。例えば、マイクロ流路に流体を流す際、ポンプや重力を用いる場合には、流路抵抗を低下させる観点から、マイクロ流路の横断面形状がおおむね長方形（正方形を含む）の場合には、小さい方の辺の寸法で、２０μｍ以上が好ましく、５０μｍ以上がより好ましく、１００μｍ以上がさらに好ましい。マイクロ流体デバイスのより一層の小型化の観点より、小さい方の辺の寸法で、５ｍｍ以下が好ましく、１ｍｍ以下がより好ましく、５００μｍ以下がさらにより好ましい。
【００２７】
また、マイクロ流路の横断面形状がおおむね円形の場合には、直径（楕円の場合には、短径）は、２０μｍ以上が好ましく、５０μｍ以上がより好ましく、１００μｍ以上がさらに好ましい。マイクロ流体デバイスのより一層の小型化の観点より、直径（楕円の場合には、短径）は、５ｍｍ以下が好ましく、１ｍｍ以下がより好ましく、５００μｍ以下がさらに好ましい。
【００２８】
一方、例えば、マイクロ流路に流体を流す際、毛細管現象を有効に活用する場合には、マイクロ流路の横断面形状がおおむね長方形（正方形を含む）の場合には、小さい方の辺の寸法で、５μｍ以上であることが好ましく、１０μｍ以上であることがより好ましく、２０μｍ以上であることがさらに好ましい。また、小さい方の辺の寸法で、２００μｍ以下であることが好ましく、１００μｍ以下であることがより好ましい。
【００２９】
上記マイクロ流路は、送液流路６ａ、入り口流路６ｂ、出口流路６ｃ及び排出流路６ｄを有する。
【００３０】
上記送液流路６ａは、試薬収納空間Ａに開いている。本実施形態では、試薬収納空間Ａの下方に、滞留空間Ｂが設けられている。送液流路６ａは、試薬収納空間Ａと、滞留空間Ｂとを接続している。滞留空間Ｂには、前述した入り口流路６ｂと、出口流路６ｃとが開口している。出口流路６ｃの下流側端部は、混合・反応空間Ｃに開口している。混合・反応空間Ｃに、排出流路６ｄの一端が開口している。
【００３１】
なお、滞留空間Ｂ及び混合・反応空間Ｃは、基板３の第２の主面３ｂに開いた開口を、カバー部材５で覆うことにより設けられている。また、入り口流路６ｂ、出口流路６ｃ、排出流路６ｄは、基板３の第２の主面３ｂに開いた溝を、カバー部材５で覆うことにより設けられている。
【００３２】
試薬収納空間Ａは、底面３ｄを有する。すなわち、凹部３ｃの底面３ｄが、試薬収納空間Ａの底面となっている。この底面３ｄ上に、試薬収納体７が設けられている。本実施形態では、送液流路６ａの開口部を覆うように、試薬収納体７が設けられている。
【００３３】
次に、上記マイクロ流路チップ１の特徴を、使用方法を含めて説明することにより明らかにする。
【００３４】
マイクロ流路チップ１は、試薬収納体７が配置されている試薬収納空間Ａが送液流路６ａにより、滞留空間Ｂに接続されていることを特徴とする。すなわち、マイクロ流路の途中に、上記滞留空間Ｂが設けられていることを特徴とする。
【００３５】
マイクロ流路チップ１では、試薬収納体７を押圧することにより、試薬収納体７を開封する。それによって、液体試薬９をマイクロ流路チップ１内のマイクロ流路に流入させることができる。その際、試薬収納空間Ａと滞留空間Ｂが連結されていることにより、試薬収納体７から放出された液体試薬９が直接混合・反応空間Ｃに流入することを防ぐことができる。それによって、押圧力や試薬収納体７の開封性のバラつきによる、意図しないタイミングでの混合や反応を防ぐことができる。
【００３６】
また押圧による試薬収納体７の開封時に液体試薬９の飛び出しや噴出が起きる場合でも、滞留空間Ｂを設けることによってその影響をリセットすることができ、液体試薬９の送液が制御し易くなる。
【００３７】
滞留空間Ｂの配置場所は、試薬収納空間Ａと連結されていれば特に限定されない。本実施形態のように試薬収納空間Ａの直下に設けられていてもよい。また、図４に示す第４の実施形態のマイクロ流路チップ４１のように、試薬収納空間Ａと隣接するように、滞留空間Ｂが設けられていてもよい。
【００３８】
押圧による試薬収納体７の開封、それに伴う液体試薬９のマイクロ流路チップ内への流入方法は特に限定されない。例えば、図４に示すように、試薬収納空間Ａに向かって突出する凸部としての突起部４２を設けてもよい。この場合には、押圧によって突起部４２が試薬収納体７に押し込まれるので、開封がより一層容易にかつ確実に行なわれ得る。
【００３９】
なお、第４の実施形態のマイクロ流路チップ４１は、滞留空間Ｂの位置が異なること及び突起部４２が設けられていることを除いては、第１の実施形態のマイクロ流路チップ１と同様に構成されている。
【００４０】
また、図５に示す変形例の試薬収納体７のように、試薬収納体７に易剥離性シール部７ａを設けておき、押圧時に該易剥離性シール部７ａを選択的に開封してもよい。
【００４１】
上記滞留空間Ｂは、上記試薬収納体７が配置される試薬収納空間Ａと連結する送液流路６ａに加え、液体または気体の流入口Ｆと流出口Ｇをそれぞれ有することが好ましい。ここで、流入口Ｆは、入り口流路６ｂが滞留空間Ｂに開口している部分である。流出口Ｇは、出口流路６ｃが滞留空間Ｂに開口している部分である。流入口Ｆ及び流出口Ｇを有するため、試薬収納体７を押圧することによる試薬収納体７の開封、液体試薬９の流入工程と、滞留空間Ｂに保持された液体試薬９を混合・反応空間Ｃへ送液する工程とを、別工程とすることができる。そのため、送液タイミングや速度を容易に制御することができる。なお、該滞留空間Ｂは流入口Ｆを複数有していても良い。
【００４２】
上記滞留空間Ｂに保持された液体試薬９を、混合・反応空間Ｃへ送液する方法としては特に限定されない。例えばマイクロ流路チップ外に設置されたポンプ等により上記流入口Ｆより、液体または空気などのガスを送り込む方法を用いてもよい。光または熱等の外的刺激によってガス発生する部材を、上記流入口Ｆから連結された空間に配置しておき、所定のタイミングで該ガス発生部材に外力を加えることでガスを発生させてもよい。
【００４３】
上記滞留空間Ｂにおける流入口Ｆおよび流出口Ｇの形状は特に限定されず、円形、楕円形、正方形、長方形、その他送液流路形状に合わせた形状を用いることができる。
【００４４】
また上記滞留空間Ｂにおける流入口Ｆおよび流出口Ｇの配置箇所も特に限定されず、マイクロ流路チップの形状、送液流路形状に合わせて配置することができる。
【００４５】
上記滞留空間Ｂの容積は、少なくとも液体試薬９の体積以上であれば特に限定されない。もっとも、液体試薬９の体積の１００％〜１２０％の容積を有することが好ましい。その場合には、意図せず混合・反応空間Ｃへ流出することを防ぐことができる。また、送液時には、送液流路６ａ内に気泡を巻き込んで液体連続性がなくなるのを防ぎ、送液タイミング、速度を容易に制御することができる。
【００４６】
本実施形態のマイクロ流路チップでは、上記試薬収納体７が配置される試薬収納空間Ａは上記滞留空間Ｂと連結する送液流路６ａの開口部Ｈ以外の開口部を持たないことが好ましい。その場合には、試薬収納体７から液体試薬９を放出する際、マイクロ流路チップ１外への液漏れ等が生じ難い。また、選択的に開口部Ｈから滞留空間Ｂに液体試薬９を導入させることができる。
【００４７】
上記のような試薬収納空間Ａが上記開口部Ｈ以外に開口部を持たない構造を作成する方法としては、例えば試薬収納空間Ａに試薬収納体７を配置するための開口部を、試薬収納体７を配置後に封止する方法が挙げられる。封止方法としては特に限定されない。例えば、樹脂板、樹脂フィルム等を熱融着により貼り合わせる方法や、接着剤により貼り合わせる方法、または感圧接着テープを用いて感圧接着させる方法などがある。中でも、試薬収納体７を外力で押圧できるように、エラストマーフィルムなどの柔軟性のあるフィルムで封止することが好ましい。
【００４８】
上記試薬収納体７は、試薬収納空間Ａと滞留空間Ｂとを連結する送液流路６ａの開口部Ｈ上に配置されていることが好ましい。試薬収納体７が開口部Ｈ上に配置されていることにより、試薬収納空間Ａが開口部Ｈ以外に開口部を持つ場合でも、選択的に開口部Ｈから滞留空間Ｂに液体試薬９を導入することができる。
【００４９】
さらに、試薬収納体７は試薬収納空間Ａの底面３ｄにおける、少なくとも開口部Ｈを除く面と接着されていることが好ましい。底面３ｄと接着されていることにより、液漏れ等を防ぎ、より選択的に開口部Ｈより滞留空間Ｂに液体試薬９を導入することができる。
【００５０】
なお、試薬収納体７と試薬収納空間Ａの底面３ｄを接着する場合、開口部Ｈを避け、かつ開口部Ｈを囲む領域で接着することが好ましい。その場合には、試薬収納体７が開封した際に、試薬収納体７の開封口と、開口部Ｈとの間の空間において、試薬収納体７の開口部および開口部Ｈ以外が密閉される。そのため、より選択的に滞留空間Ｂに液体試薬９を導入することができる。
【００５１】
もっとも、図３に示す第３の実施形態のマイクロ流路チップ３１のように、試薬収納体７は、開口部Ｈと重ならない位置に設けられていてもよい。
【００５２】
試薬収納空間Ａが開口部Ｈ以外に開口部を持たず、さらに試薬収納体７が試薬収納空間Ａの底面３ｄの少なくとも開口部Ｈを除く面と接着されていてもよい。その場合には、マイクロ流路チップ外への液漏れを抑制することができる。さらに、試薬収納空間Ａ内の液体残留を抑制することができ、より選択的に滞留空間Ｂへ液体試薬９を導入することができる。
【００５３】
マイクロ流路チップ１を構成する材料としては特に限定されない。目的の検査、反応に合わせたマイクロ流路となる凹部を形成した基板３に、カバー部材５を貼り合わせる構成などを用いることができる。すなわち、図２に示す第２の実施形態のマイクロ流路チップ２１のような構造であってもよい。ここでは、基板３の第２の主面３ｂにカバー部材５が貼り合わされている。従って、第１の主面３ａ側に封止フィルム４が積層されていなくともよい。この場合には、試薬収納空間Ａは、上方に向かって開いていることとなる。なお、試薬収納体７は接着剤１０により凹部３ｃの底面３ｄに固定されている。
【００５４】
なお、マイクロ流路チップ２１は、封止フィルム４を有しないことを除いては、マイクロ流路チップ１と同様に構成されている。
【００５５】
基板３の材料は特に限定されず、合成樹脂、ゴムまたは金属などの成形可能な各種材料を用いることができる。例えばポリオレフィンなどの高い成形性を有する樹脂を、射出成形することにより基板層を作成することができる。
【００５６】
カバー部材５の材料としては特に限定されず、上記基板層と同材料の板またはフィルムを熱融着により貼り合わせる方法や、接着剤により貼り合せる方法、または感圧接着テープを用いて感圧接着させる方法などを用いることができる。
【００５７】
試薬収納体７の構成としては特に限定されず、例えばポケット部と蓋部を接着させたブリスター型容器や、袋状のフィルムパック、カプセル等、液体試薬９を内包可能な容器であれば各種構成を用いることができる。中でも、ブリスター型容器が好ましい。ブリスター型容器の場合には、押圧による開封制御がし易く、成形が容易である。
【００５８】
ブリスター型容器を用いる場合、ポケット部の素材としては、ポリエチレン、ポリプロピレン、塩化ビニル等の各種プラスチック材料、アルミフィルム等の金属フィルム、およびそれらの積層体など、種々の材料を用いることができるが、１層以上のアルミ層を含むことが好ましい。アルミ層を含むことにより、容器を押圧する際に必要な負荷を低減できる。加えて、充填した試薬の貯蔵安定性を高めることができる。よって、マイクロ流路チップを作成してから使用するまでの期間を延ばすことができる。
【００５９】
蓋部の材料としては特に限定されないが、アルミフィルムを用いることが好ましい。アルミフィルムの場合には、突起配置等により開封制御がし易く、成形が容易である。
【００６０】
図６は、本発明の第４の実施形態に係るマイクロ流路チップの正面断面図である。マイクロ流路チップ５１では、試薬収納体７が、袋状のフィルムパックからなる。試薬収納空間を構成している凹部３ｃの底面３ｄ上に、試薬収納体７が載置されている。送液流路６ａが試薬収納空間の一方側に寄せられて配置されている。これらを除いては、マイクロ流路チップ１，３１と同様に構成されている。従って、同一部分については同一の参照番号を付することにより、その説明を省略する。
【００６１】
マイクロ流路チップ５１のように、試薬収納体７として、袋状のフィルムパックを用いてもよい。ここでは、試薬収納体７は、可撓性の合成樹脂フィルム７Ａと合成樹脂フィルム７Ｂとを外周縁部分で貼り合せることにより構成されている。試薬収納体７の内部に、液体試薬９が収納されている。なお、可撓性のフィルムとしては、合成樹脂フィルムに限らず、可撓性を有する金属箔などを用いてもよい。
【００６２】
上記袋状のフィルムパックからなる試薬収納体７を用いた場合においても、封止フィルム４側から押圧することにより、試薬収納体７を突き破ることができる。それによって、液体試薬９を送液流路６ａ側に速やかに供給することができる。
【符号の説明】
【００６３】
１…マイクロ流路チップ
２…マイクロ流路チップ本体
３…基板
３ａ，３ｂ…第１，第２の主面
３ｃ…凹部
３ｄ…底面
４…封止フィルム
５…カバー部材
６ａ…送液流路
６ｂ…入り口流路
６ｃ…出口流路
６ｄ…排出流路
７…試薬収納体
７ａ…易剥離性シール部
７Ａ，７Ｂ…合成樹脂フィルム
８…封止材
８ａ…フィルム
８ｂ…シート
９…液体試薬
１０…接着剤
２１，３１，４１，５１…マイクロ流路チップ
４２…突起部
【図１】
2018059916.tif 000003
【図２】
2018059916.tif 000004
【図３】
2018059916.tif 000005
【図４】
2018059916.tif 000006
【図５】
2018059916.tif 000007
【図６】
2018059916.tif 000008